(57)【要約】【課題】過去のトレンドデータ、あるいはその表示方法に対する操作を可能とすることで、過去のトレンドデータのパターンを参照パターンとして効果的に利用できるトレンドデータ表示装置を提供する。【解決手段】  収集手段３１は、プラント１の稼動状況を示す現在のトレンドデータを逐次収集する。表示手段３２は、保存手段２に保存されている過去のトレンドデータのパターンを、収集手段３１により収集された現在のトレンドデータのパターンに重ね合わせて画面上に表示する。指示受付手段３３は、表示手段３２による過去のトレンドデータのパターンの表示方法についてのユーザの指示を上記画面上への操作を介して受け付ける。編集受付手段３４は、保存手段２に保存された過去のトレンドデータに対する編集を受け付け、編集された当該過去のトレンドデータを保存手段２に格納する。【選択図】図１
2007279891.tif 000002
【特許請求の範囲】
【請求項１】
プラントのトレンドデータを表示するトレンドデータ表示装置において、
プラントから収集した過去のトレンドデータを保存する保存手段と、
プラントの稼動により生じる現在のトレンドデータを収集する収集手段と、
前記保存手段に保存されている前記過去のトレンドデータのパターンを前記収集手段により収集された前記現在のトレンドデータのパターンに重ね合わせて画面上に表示する表示手段と、
前記表示手段による前記過去のトレンドデータのパターンの表示方法についての指示を受け付ける指示受付手段と、
を備えることを特徴とするトレンドデータ表示装置。
【請求項２】
前記指示受付手段は、前記過去のトレンドデータの表示位置を移動させる指示を受け付けることを特徴とする請求項１に記載のトレンドデータ表示装置。
【請求項３】
前記指示受付手段は、前記過去のトレンドデータの表示パターンを伸縮させる指示を受け付けることを特徴とする請求項１に記載のトレンドデータ表示装置。
【請求項４】
前記保存手段に保存された前記過去のトレンドデータに対する編集を受け付け、編集された当該過去のトレンドデータを前記保存手段に格納する編集受付手段を備えることを特徴とする請求項１〜３のいずれか１項に記載のトレンドデータ表示装置。
【請求項５】
プラントのトレンドデータを表示するトレンドデータ表示装置において、
プラントから収集した過去のトレンドデータに対する編集を受け付ける編集受付手段と、
編集を受けた前記過去のトレンジデータを保存する保存手段と、
プラントの稼動により生じる現在のトレンドデータを収集する収集手段と、
前記保存手段に保存されている前記過去のトレンドデータのパターンを前記収集手段により収集された前記現在のトレンドデータのパターンに重ね合わせて画面上に表示する表示手段と、
を備えることを特徴とするトレンドデータ表示装置。
【請求項６】
前記編集受付手段は、前記過去のトレンドデータを時間軸方向に一部削除する編集を受け付けることを特徴とする請求項４または５に記載のトレンドデータ表示装置。
【請求項７】
前記編集受付手段は、前記過去のトレンドデータの偏差をフィルタリングする編集を受け付けることを特徴とする請求項４または５に記載のトレンドデータ表示装置。
【請求項８】
前記編集受付手段は、編集対象となる前記過去のトレンドデータのパターンを表示した画面上で、編集を受け付けることを特徴とする請求項４〜７のいずれか１項に記載のトレンドデータ表示装置。
【発明の詳細な説明】
【技術分野】
【０００１】
本発明は、プラントのトレンドデータを表示するトレンドデータ表示装置に関し、とくに過去のトレンドデータのパターンを参照パターンとして有効に利用できるトレンドデータ表示装置に関する。
【背景技術】
【０００２】
プラントの稼動に伴う過去のトレンドデータを保存し、過去のトレンドデータのパターンを参照パターンとして利用可能なシステムが知られている。図８に示すように、このシステムでは、プラント１から得られた過去のトレンドデータをサーバ１０２に蓄積している。
【０００３】
サーバ１０２に保存されたトレンドデータのパターンを参照パターンとして使用したい場合には、ユーザは端末装置１０３から、予め対象となるトレンドデータのファイルを指定し、別名ファイルとして保存する。そして、この別名ファイルを呼び出すことで、端末装置１０３の画面上に参照パターンを表示させることができる。この参照パターンは、プラントの稼動状況を示す現在のトレンドデータのパターンに重ね合わせて表示させることもできる。
【０００４】
引用文献１には、プラントからの収集データと、参考となるガイドデータから構成される参照パターンとを重ねてトレンド表示するトレンドグラフ表示装置が記載されている。
【０００５】
【特許文献１】特開平５−３４０７７０号公報
【発明の開示】
【発明が解決しようとする課題】
【０００６】
しかし、従来のシステムでは、過去のトレンドデータを編集し、あるいは過去のトレンドデータの表示方法を自由に操作することができなかったため、過去のトレンドデータのパターンを参照パターンとして有効に利用しにくいという問題がある。
【０００７】
本発明の目的は、過去のトレンドデータ、あるいはその表示方法に対する操作を可能とすることで、過去のトレンドデータのパターンを参照パターンとして効果的に利用できるトレンドデータ表示装置を提供することにある。
【課題を解決するための手段】
【０００８】
本発明のトレンドデータ表示装置は、プラントのトレンドデータを表示するトレンドデータ表示装置において、プラントから収集した過去のトレンドデータを保存する保存手段と、プラントの稼動により生じる現在のトレンドデータを収集する収集手段と、前記保存手段に保存されている前記過去のトレンドデータのパターンを前記収集手段により収集された前記現在のトレンドデータのパターンに重ね合わせて画面上に表示する表示手段と、前記表示手段による前記過去のトレンドデータのパターンの表示方法についての指示を受け付ける指示受付手段と、を備えることを特徴とする。
このトレンドデータ表示装置によれば、過去のトレンドデータの表示方法についてのユーザの指示を画面上への操作を介して受け付けるので、過去のトレンドデータのパターンを参照パターンとして有効に利用できる。
【０００９】
前記指示受付手段は、前記過去のトレンドデータの表示位置を移動させる指示を受け付けてもよい。
【００１０】
前記指示受付手段は、前記過去のトレンドデータの表示パターンを伸縮させる指示を受け付けてもよい。
【００１１】
前記保存手段に保存された前記過去のトレンドデータに対する編集を受け付け、編集された当該過去のトレンドデータを前記保存手段に格納する編集受付手段を備えてもよい。
この場合には、過去のトレンドデータに対する編集を受け付けるので、当該過去のトレンドデータを利用して理想的な参照パターンを容易に作成できる。
【００１２】
本発明のトレンドデータ表示装置は、プラントのトレンドデータを表示するトレンドデータ表示装置において、プラントから収集した過去のトレンドデータに対する編集を受け付ける編集受付手段と、前記ユーザの編集により編集された前記過去のトレンジデータを保存する保存手段と、プラントの稼動により生じる現在のトレンドデータを収集する収集手段と、前記保存手段に保存されている前記過去のトレンドデータのパターンを前記収集手段により収集された前記現在のトレンドデータのパターンに重ね合わせて画面上に表示する表示手段と、を備えることを特徴とする。
このトレンドデータ表示装置によれば、過去のトレンドデータに対する編集を受け付けるので、当該過去のトレンドデータを利用して理想的な参照パターンを容易に作成できる。
【００１３】
前記編集受付手段は、前記過去のトレンドデータを時間軸方向に一部削除する編集を受け付けてもよい。
【００１４】
前記編集受付手段は、前記過去のトレンドデータの偏差をフィルタリングする編集を受け付けてもよい。
【００１５】
前記編集受付手段は、編集対象となる前記過去のトレンドデータのパターンを表示した画面上で、編集を受け付けてもよい。
【発明の効果】
【００１６】
本発明のトレンドデータ表示装置によれば、過去のトレンドデータの表示方法についてのユーザの指示を画面上への操作を介して受け付けるので、過去のトレンドデータのパターンを参照パターンとして有効に利用できる。
【発明を実施するための最良の形態】
【００１７】
以下、図１〜図７を参照して、本発明によるトレンドデータ表示装置の一実施形態について説明する。
【００１８】
図１は、本実施形態のトレンドデータ表示装置の構成を示すブロック図である。
【００１９】
図１に示すように、本実施形態のトレンドデータ表示装置は、プラント１から収集した過去のトレンドデータを蓄積、保存するサーバである保存手段２と、ユーザの指示に従ってトレンドデータを表示させるための端末装置３と、を備える。
【００２０】
端末装置３は、プラント１の稼動状況を示す現在のトレンドデータを逐次収集する収集手段３１と、保存手段２に保存されている過去のトレンドデータのパターンを、収集手段３１により収集された現在のトレンドデータのパターンに重ね合わせて画面上に表示する表示手段３２と、表示手段３２による過去のトレンドデータのパターンの表示方法についてのユーザの指示を上記画面上への操作を介して受け付ける指示受付手段３３と、保存手段２に保存された過去のトレンドデータに対するユーザの編集を受け付け、編集された当該過去のトレンドデータを保存手段２に格納する編集受付手段３４と、を構成するコンピュータである。
【００２１】
図２のステップＳ１〜ステップＳ３は、保存手段２に保存された過去のトレンドデータに対する編集の手順を示すフローチャートである。
【００２２】
図２のステップＳ１では、端末装置３は、端末装置３を操作するユーザにより指定されたファイル名のトレンドデータを保存手段２から読み込み、当該トレンドデータのパターンを端末装置３の画面上に表示する。このパターンは、縦軸をトレンドデータのデータ値、横軸を時刻とするグラフパターンである。
【００２３】
ステップＳ２では、編集受付手段３４により、ユーザの画面上での操作に従って、ステップＳ１で読み込んだトレンドデータの編集を受け付ける。
【００２４】
図３は、トレンドデータの編集内容を示す図である。図３（ａ）は、偏差フィルタリングによりノイズ成分の除去を実行する例を示す。また、図３（ｂ）は削除部分の指定による不要部分の削除を行う例を示す。このような編集により、実際のトレンドデータを用いて、例えば、理想的なトレンドデータのパターンを形成することが可能となる。
【００２５】
ステップＳ２では、図３に例示するような編集を受け付け、さらに、編集受付手段３４により編集後のトレンドデータを作成する。
【００２６】
次に、ステップＳ３では、編集後のトレンドデータを、元のファイルとは別名のファイルとして保存手段２に格納し、処理を終了する。
【００２７】
図２のステップＳ１１〜ステップＳ１５は、保存手段２に保存されたトレンドデータを、参照パターンとして画面上に表示する処理を示すフローチャートである。この処理が実行される間、収集手段３１はプラントから稼動状況を示す現在のトレンドデータを逐次取得し、表示手段３２により、現在のトレンドデータを示すパターンを画面上に更新表示している。
【００２８】
図２のステップＳ１１では、端末装置３は、端末装置３を操作するユーザにより指定されたファイル名のトレンドデータを保存手段２から読み込む。ここでは、ユーザは、ステップＳ１〜ステップＳ３の処理において編集されたトレンドデータのファイルを指定することができるが、プラントから取得した状態の、未編集の過去のトレンドデータのファイルを指定することもできる。
【００２９】
次に、ステップＳ１２では、現在のトレンドデータを示すパターンが表示される画面上に、保存手段２から読み込んだ過去のトレンドデータのパターンを描画する。
【００３０】
図４はステップＳ１２における画面表示を例示する図である。図４の例では、画面４０内に、現在のトレンドデータを示すパターン４１ａが示される領域４１と、保存手段２から読み込んだ過去のトレンドデータのパターン４２ａが示される領域４２とが互いに重ね合わされて表示される。
【００３１】
次に、ステップＳ１３では、トレンドデータの表示方法についてのユーザの指示があったか否か判断し、判断が肯定されればステップＳ１４へ進み、判断が否定されればステップＳ１２へ戻る。
【００３２】
ステップＳ１４では、指示受付手段３３により、ユーザによる画面上への操作として表現された、トレンドデータの表示方法についてのユーザの指示を受け付け、ステップＳ１２へ戻る。この場合、ステップＳ１２における描画には、ステップＳ１４で受け付けた指示が反映される。
【００３３】
ステップＳ１４では、表示方法についての種々の指示を受け付けることができる。例えば、マウスドラグにより領域４２を画面上の任意の位置に移動可能であり、これにより過去のトレンドデータのパターン４２を時間軸方向およびデータ数値軸方向に自由に移動できる。
【００３４】
また、マウス操作により、領域４２の縦方向、横方向の伸縮が可能である。これにより過去のトレンドデータのパターン４２を時間軸方向およびデータ数値軸方向に自由に伸縮できる。例えば、図５（ａ）および図５（ｂ）は領域４２の横方向への伸縮を、図５（ｃ）は領域４２の縦方向の伸縮を示している。
【００３５】
さらに、マウス操作により、領域４２内におけるパターン４２ａの縦方向、横方向へのスクロールが可能である。例えば、図６は横方向、すなわち時間軸方向へのスクロールを示している。
【００３６】
これらの操作は、図７に示すように、領域４１と領域４２とを重ね合わせた状態で実行できる。このため、現在のトレンドデータを示すパターン４１ａにパターン４２ａを重ね合わせるようにして、パターン４２ａの位置や形状を自由に調整できるため、参照パターンとして最適なパターン４２ａを容易に得ることができる。本実施形態によれば、パターン４２ａとパターン４１ａとを重ね合わせて表示させることで両者の比較が容易となり、現在のトレンドデータが、理想的なトレンドデータとどの程度異なっているかを簡単に把握できる。
【００３７】
以上説明したように、本発明のトレンドデータ表示装置によれば、過去のトレンドデータの表示方法についてのユーザの指示を画面上への操作を介して受け付けるので、過去のトレンドデータのパターンを参照パターンとして有効に利用できる。また、過去のトレンドデータに対する編集を受け付けるので、当該過去のトレンドデータを利用して理想的な参照パターンを容易に作成できる。
【００３８】
本発明の適用範囲は上記実施形態に限定されることはない。本発明は、プラントのトレンドデータを表示するトレンドデータ表示装置に対し、広く適用することができる。
【図面の簡単な説明】
【００３９】
【図１】本実施形態のトレンドデータ表示装置の構成を示すブロック図。
【図２】本実施形態のトレンドデータ表示装置の動作を示すフローチャート。
【図３】トレンドデータの編集内容を示す図であり、（ａ）は、偏差フィルタリングによりノイズ成分の除去を実行する例を示す図、（ｂ）は削除部分の指定による不要部分の削除を行う例を示す図。
【図４】画面表示を例示する図。
【図５】過去のトレンドデータのパターンの伸縮表示を示す図であり、（ａ）および（ｂ）は横方向への伸縮を示す図、（ｃ）は縦方向の伸縮を示す図。
【図６】過去のトレンドデータのパターンの時間軸方向へのスクロールを示す図。
【図７】過去のトレンドデータのパターンと現在のトレンドデータのパターンとを重ね合わせた表示を示す図。
【図８】過去のトレンドデータのパターンを参照パターンとして利用可能な従来システムの構成を示すブロック図。
【符号の説明】
【００４０】
１      プラント
２      保存手段
３      端末装置
３１    収集手段
３２    表示手段
３３    指示受付手段
３４    編集受付手段
【図１】
2007279891.tif 000003
【図２】
2007279891.tif 000004
【図３】
2007279891.tif 000005
【図４】
2007279891.tif 000006
【図５】
2007279891.tif 000007
【図６】
2007279891.tif 000008
【図７】
2007279891.tif 000009
【図８】
2007279891.tif 000010